(57)【特許請求の範囲】
【請求項１】
ワイヤレス通信システムであって、
第一固定インターバルで、無線フレームの最初に所定ビットシーケンスを伝送する協調通信装置と、
ストリーミングセッションのフレームを受信し、当該ストリーミングセッションのフレームの周期と第一開始時間を検出するソース通信装置とを有し、
前記ソース通信装置は、一つ、又は、それ以上の前記ストリーミングセッションのフレームの前記周期と前記第一開始時間に関する情報を前記協調通信装置に転送し、
前記協調通信装置は、前記ソース通信装置から受信される前記情報に基づく所定ルールに従って、前記所定ビットシーケンスを伝送するための第二固定インターバルの前記周期と第二開始時間を決定し、
前記協調通信装置は、前記第二固定インターバルで、前記無線フレームの前記第二開始時間で、前記所定ビットシーケンスを伝送し、前記ソース通信装置は、前記フレームをシンク通信装置に転送することを特徴とするワイヤレス通信システム。
【請求項２】
前記所定ルールに従って、前記協調通信装置は、前記第二固定インターバルの前記周期を、前記ストリーミングセッションの前記フレームの前記周期に等しいと決定することを特徴とする請求項１に記載のワイヤレス通信システム。
【請求項３】
前記所定ルールに従って、前記協調通信装置は、前記第二固定インターバルの前記周期を、前記ストリーミングセッションの前記フレームの前記周期の倍数に等しいと決定することを特徴とする請求項１に記載のワイヤレス通信システム。
【請求項４】
前記所定ルールに従って、前記協調通信装置は、前記第二固定インターバルの前記周期が、前記ストリーミングセッションの前記フレームの前記周期の分数に等しいと決定することを特徴とする請求項１に記載のワイヤレス通信システム。
【請求項５】
前記ソース通信装置は、前記第二固定インターバルの前記周期と前記第二開始時間を有する前記無線フレーム内で、前記ストリーミングセッションの前記フレームを前記シンク通信装置に転送することを特徴とする請求項１に記載のワイヤレス通信システム。
【請求項６】
前記ソース通信装置は、前記ストリーミングセッションの各フレームが、前記第二固定インターバルの前記周期と前記第二開始時間を有する前記無線フレームの一つと同時に発生する形式で、前記ストリーミングセッションの前記フレームを伝送することを特徴とする請求項１に記載のワイヤレス通信システム。
【請求項７】
前記協調通信装置は、前記第二固定インターバルの前記周期と前記第二開始時間に変化するタイミングを決定することを特徴とする請求項１に記載のワイヤレス通信システム。
【請求項８】
前記ストリーミングセッションの前記フレームはビデオフレームであることを特徴とする請求項１に記載のワイヤレス通信システム。
【請求項９】
前記第一開始時間と第二開始時間との差異は、所定値より小さいことを特徴とする請求項１に記載のワイヤレス通信システム。
【請求項１０】
無線リソースの有効利用方法であって、ワイヤレス通信システムは、協調通信装置、ソース通信装置、シンク通信装置を有し、前記ソース通信装置は、前記シンク通信装置に伝送されるストリーミングセッションのフレームを受信し、
第一固定インターバルで、無線フレームの最初で、前記協調通信装置により、所定ビットシーケンスを伝送するステップと、
前記ソース通信装置から受信される前記ストリーミングセッションの一つ、又は、それ以上のフレームの周期と第一開始時間を含む情報に基づく所定ルールに従って、前記協調通信装置により、前記無線フレームの最初で前記所定ビットシーケンスを伝送するための第二固定インターバルの周期と第二開始時間を決定するステップと、
前記第二固定インターバルで、各フレームの前記第二開始時間で、前記協調通信装置により、前記所定ビットシーケンスを伝送するステップと
を有することを特徴とする無線リソースの有効利用方法。
【請求項１１】
前記ソース通信装置は、前記第二固定インターバルの前記周期と前記第二開始時間を有する前記無線フレーム内で、前記ストリーミングセッションの前記フレームを前記シンク通信装置に転送することを特徴とする請求項１０に記載の無線リソースの有効利用方法。
【請求項１２】
前記フレームの前記第二固定インターバルの前記周期の決定は、前記第二固定インターバルの前記周期を、前記ストリーミングセッションの各フレームの前記周期に等しいと決定するステップを有することを特徴とする請求項１０に記載の無線リソースの有効利用方法。
【請求項１３】
前記フレームの前記第二固定インターバルの前記周期の決定は、前記第二固定インターバルの前記周期を、前記ストリーミングセッションの各フレームの前記周期の倍数に等しいと決定するステップを有することを特徴とする請求項１０に記載の無線リソースの有効利用方法。
【請求項１４】
前記フレームの前記第二固定インターバルの前記周期の決定は、前記第二固定インターバルの前記周期を、前記ストリーミングセッションの各フレームの前記周期の分数に等しいと決定するステップを有することを特徴とする請求項１０に記載の無線リソースの有効利用方法。
【請求項１５】
前記協調通信装置は、前記第二固定インターバルの前記周期と前記第二開始時間に変化するタイミングを決定することを特徴とする請求項１０に記載の無線リソースの有効利用方法。
【請求項１６】
前記ストリーミングセッションの前記フレームはビデオフレームであることを特徴とする請求項１０に記載の無線リソースの有効利用方法。
【請求項１７】
前記第一開始時間と第二開始時間との差異は、所定値より小さいことを特徴とする請求項１０に記載の無線リソースの有効利用方法。
【請求項１８】
無線リソースの有効利用方法であって、ワイヤレス通信システムは、協調通信装置、ソース通信装置、シンク通信装置を有し、前記協調通信装置は、第一固定インターバルで、各無線フレームの最初で、所定ビットシーケンスを伝送し、前記方法は、
前記ソース通信装置により、ストリーミングセッションのフレームを受信するステップと、
前記ソース通信装置により、前記ストリーミングセッションの前記フレームの周期と第一開始時間を検出するステップと、
前記ソース通信装置により、前記ストリーミングセッションの一つ、又は、それ以上のフレームの前記周期と前記第一開始時間に関する情報を、前記協調通信装置に転送するステップと、
前記協調通信装置は、前記ソース通信装置により受信される情報に基づく所定ルールに従って、前記所定ビットシーケンスを伝送するための第二固定インターバルの前記周期と第二開始時間を決定して、前記第二固定インターバルで、無線フレームの前記第二開始時間で、前記所定ビットシーケンスを伝送した後、前記第二固定インターバルの前記周期と前記第二開始時間を有する前記無線フレームに従って、前記ソース通信装置により、前記フレームを、前記シンク通信装置に転送するステップと
を有することを特徴とする無線リソースの有効利用方法。
【請求項１９】
前記フレームの転送は、前記ソース通信装置により、前記第二固定インターバルの前記周期と前記第二開始時間を有する前記無線フレームの一つ内で、前記ストリーミングセッションの各フレームを前記シンク通信装置に転送するステップを有することを特徴とする請求項１８に記載の無線リソースの有効利用方法。
【請求項２０】
前記所定ルールに従って、前記協調通信装置は、前記第二固定インターバルの前記周期を、前記ストリーミングセッションの各フレームの前記周期に等しいと決定することを特徴とする請求項１８に記載の無線リソースの有効利用方法。
【請求項２１】
前記所定ルールに従って、前記協調通信装置は、前記第二固定インターバルの前記周期を、前記ストリーミングセッションの各フレームの前記周期の倍数に等しいと決定することを特徴とする請求項１８に記載の無線リソースの有効利用方法。
【請求項２２】
前記ストリーミングセッションの前記フレームはビデオフレームであることを特徴とする請求項１８に記載の無線リソースの有効利用方法。
【発明の詳細な説明】
【技術分野】
【０００１】
本発明は、ワイヤレス通信システムに関するものであって、特に、ワイヤレス通信システムの無線リソースの有効利用に関するものである。
【背景技術】
【０００２】
ワイヤレス通信システムは、コンテンションベース（contention-based）のシステムと協調ベース（coordination-based）のシステムに分類することができる。コンテンションベースのシステムにおいては、チャネルリソースは予め割り当てられていない。コンテンションベースのシステムの通信装置が無線信号を伝送したい時、通信装置は、コリジョンベースの方式（collision-based manner）で、チャネルリソースと無線リンクのアクセス時間を競う。コンテンションベースのシステムには、チャネルリソースを管理する協調通信装置がない。しかし、協調ベースのシステムは、ワイヤレス通信システムの無線リソースを割り当てる協調通信装置を有する。協調ベースのシステムの全通信装置は、協調通信装置の指令に従い、無線信号を伝送する必要がある。
【０００３】
無線信号は、無線フレームのシーケンスにより伝送される。通信システムの協調通信装置は、無線フレームの周期を決定し、無線フレーム周期を通信システム中の全通信装置にブロードキャストする。よって、通信システムの全通信装置は、無線フレーム中でデータを伝送する。一具体例としては、協調通信装置は、通信システム中の無線チャネル特徴と作業中の通信装置の数を含むパラメータセットに従って、無線フレーム周期の長さを決定する。さらに協調通信装置は、一連のビーコンを通信システムの全通信装置にブロードキャストし、通信システム中の無線フレーム伝送を同期化する。ビーコンは所定のビットパターンで、無線フレームの開始を表すことができる。協調通信装置は、各無線フレーム、又は、所定数の無線フレームのビーコンを伝送する。
【０００４】
ストリーミングビデオはビデオフレームのシーケンスからなり、各ビデオフレームは複数の画素からなる。ビデオフレームの周期は、ビデオフレームを生成するビデオレンダリング装置のリフレッシュ速度により決定される。例えば、ビデオレンダリング装置が、毎秒、６０フレームを生成する時、各ビデオフレームの周期は１/６０秒である。ストリーミングビデオセッション開始後、ストリーミングビデオセッションが終了するまでは、ストリーミングセッションのビデオフレームの周期はそのままで変化しない。ビデオストリーミングセッションにおいては、ビデオフレームは、リアルタイムで連続（non-stop-and-go）に、ビデオソース装置からビデオシンク装置に流れる。ビデオフレームを伝送する際のタイミングの精度は重要な本質的要素である。これは、ビデオフレームがビデオシンク装置により表示される時、タイミングエラーは可視の異常を引き起こすからである。
【０００５】
通信システムが、ビデオソース装置とビデオシンク装置を含む時、ビデオソース装置は、無線フレーム中で、ストリーミングビデオセッションのビデオフレームをビデオシンク装置に伝送する。通信システムの協調通信装置は、無線フレーム周期とビーコンを、ビデオソース装置とビデオシンク装置にブロードキャストする。その後、ビデオソース装置は、協調通信装置により決定される無線フレーム周期とビーコンにより決定される開始時間を有する無線フレーム中で、ビデオストリーミングセッションを伝送する。しかし、ビデオストリーミングセッションのビデオフレームの開始時間と周期は、ビデオソース装置に接続されるビデオレンダリング装置により決定される。通信システムとビデオ再生システムは独立して操作するので、自然に、ビデオフレームと無線フレームの開始時間と周期は異なる。ビデオフレームと無線フレーム間の周期と開始時間のミスマッチが、通信システムの設計の複雑さを増加させる。
【０００６】
図１は、公知のビデオフレームの無線伝送を示す図である。一連のビデオフレームＶ１，Ｖ２，…Ｖｘ  は、一連の無線フレームＲ１，Ｒ２，…Ｒｙ  により伝送される。各ビデオフレームは周期ＴＶ  を有し、各無線フレームは周期ＴＲ  を有する。無線フレームＲ１，Ｒ２，Ｒ３  の前に伝送されるビーコンＢ１，Ｂ２，Ｂ３  は、受信装置への通知と同期化に用いられる。ビデオフレームＶ１，Ｖ２，Ｖ３  の開始時間ｔS１，ｔS２，ｔS３は、無線フレームの開始時間ｔｂ１，ｔｂ２，ｔｂ３と異なり、ビデオフレームＶ１，Ｖ２，Ｖ３  の周期ＴＶ  は、無線フレームＲ１，Ｒ２，Ｒ３  の周期ＴＲ  と異なる。無線フレームが利用できない時、ビデオフレームのバッファリングが必要なので、ビデオフレームを伝送する通信システムの設計が複雑になる。さらに、ビデオフレームの流れの連続性を保証するため、ビデオソース装置はバッファを有して、ビデオフレームがビデオシンク装置に送られる前に、ビデオフレームを十分にバッファリングしなければならない。バッファの追加により、ビデオソース装置のコストが増加する。よって、リアルタイムストリーミングビデオを伝送する無線リソースの有効利用方法が必要である。
【発明の概要】
【０００７】
本発明は、ワイヤレス通信システムを提供する。一具体例としては、ワイヤレス通信システムは、協調通信装置、ソース通信装置、シンク通信装置を有する。協調通信装置は、第一固定インターバルで、前記無線フレームの最初に、所定ビットシーケンスを伝送する。ソース通信装置は、ストリーミングセッションのビデオフレームのようなフレームを受信し、フレームの周期と第一開始時間を検出し、一つ、又は、それ以上のフレームの周期と第一開始時間に関する情報を前記協調通信装置に転送する。その後、協調通信装置は、前記ソース通信装置から受信される情報に基づく所定ルールに従って、無線フレームの最初に所定のビットシーケンスを送信するための第二固定インターバルの周期と第二開始時間を決定する。ここで、第１開始時間と第２開始時間の差は、所定の値より小さいものである。その後、協調通信装置は、第二固定インターバルで、無線フレームの第二開始時間に、所定ビットシーケンスを伝送し、ソース通信装置は、フレームをシンク通信装置に転送する。
【０００８】
本発明は、また、無線リソースの有効利用方法を提供する。一具体例としては、ワイヤレス通信システムは、協調通信装置、ソース通信装置、シンク通信装置を有し、ソース通信装置は、前記シンク通信装置に転送されるストリーミングセッションのフレームを受信する。まず、協調通信装置により、第一固定インターバルで、無線フレームの最初で、所定ビットシーケンスが伝送される。ソース通信装置から受信された、ストリーミングセッションの一つ、又は、それ以上のフレームの周期と第一開始時間を含む情報に基づく所定ルールに従って、協調通信装置により、前記無線フレームの最初で所定ビットシーケンスを伝送するための第二固定インターバルの周期と第二開始時間が決定される。所定ビットシーケンスは、第二固定インターバルで、無線フレームの第二開始時間に、協調通信装置により伝送される。
【０００９】
本発明は、更に、無線リソースの有効利用方法を提供する。一具体例としては、ワイヤレス通信システムは、協調通信装置、ソース通信装置、シンク通信装置を有し、協調通信装置は、第一固定インターバルで、無線フレームの最初で、所定ビットシーケンスを伝送する。まず、ストリーミングセッションのフレームは、ソース通信装置により受信される。フレームの周期と第一開始時間は、通信装置により検出される。ストリーミングセッションの一つ、又は、それ以上のフレームの周期と第一開始時間に関する情報が、前記ソース通信装置により協調通信装置に転送される。ソース通信装置から受信される情報に基づく所定ルールに従って、協調通信装置が、無線フレームの最初に所定ビットシーケンスを伝送するための第二固定インターバルの周期と第二開始時間を決定し、第二固定インターバルで、無線フレームの第二開始時間で、所定ビットシーケンスを伝送した後、フレームは、第二固定インターバルの周期と第二開始時間を有する無線フレームに従って、ソース通信装置により、シンク通信装置に転送される。
【図面の簡単な説明】
【００１０】
【図１】図１は、公知のビデオフレームの無線転送を示す図である。
【図２】図２は、本発明の具体例によるリアルタイムストリーミングビデオを伝送するワイヤレス通信システムを示す図である。
【図３】図３は、ビデオソース通信装置により伝送される無線フレームとビデオフレームの具体例を示す図である。
【図４】図４は、本発明の具体例によるリアルタイムストリーミングビデオを伝送する無線リソースの更なる有効利用方法のフローチャートである。
【発明を実施するための形態】
【００１１】
以下の記載は、本発明を実施する上で最適と考えられるものである。この記載は、本発明の一般的な原理を示すという目的のためになされたものであって、何ら限定するためのものではない。本発明の範囲は、添付のクレームを参照することにより最適に決定されるものである。
【００１２】
図２は、本発明の具体例によるリアルタイムストリーミングビデオを伝送するワイヤレス通信システム２００のブロック図を示すものである。この具体例中、ワイヤレス通信システム２００は、協調通信装置２０２、ビデオソース通信装置２０４、ビデオシンク通信装置２０６を有する。協調通信装置２０２は、ワイヤレス通信システム２００の無線リソース割り当てを調整する。ワイヤレス通信システム２００の通信装置が同様の通信装置とストリーミングビデオセッションを構築する前、通信装置は、チャネル要求を協調通信装置２０２に伝送しなければならない。協調通信装置がチャネル要求を許可後、その後、協調通信装置２０２により許可されるアクセス周期で、通信装置は、チャネルにより、ストリーミングビデオセッションのデータの伝送を開始することができる。
【００１３】
協調通信装置２０２は、一定間隔で、無線フレームの最初で、所定ビットシーケンス（ビーコン）をワイヤレス通信システム２００の全通信装置に伝送する。協調通信装置は、各無線フレームにビーコンを伝送する、又は、伝送しない。さらに、協調通信装置２０２は、無線フレーム周期長さを決定し、ワイヤレス通信システム２００の全通信装置に、無線フレーム周期長さを通知する。よって、ワイヤレス通信システム２００の通信装置は、協調通信装置２０２により決定される周期長さにより、無線フレームを伝送する。一具体例としては、協調通信装置２０２は、アルゴリズム、又は、プロトコル仕様に従って、無線フレーム周期長さを計算する。プロトコル仕様は無線フレーム周期長さを明記する。アルゴリズムの入力はパラメータセットを含み、パラメータセットは、ワイヤレス通信システム２００中の無線チャネル特徴と作業中の通信装置の数を含む。
【００１４】
例えば、ビデオソース通信装置２０４が、ビデオシンク通信装置２０６とビデオストリーミングセッションを構築したいと仮定する。ビデオソース通信装置２０４は、ビデオレンダリング装置からのビデオフレームのシーケンスを含むビデオストリームを受信し、その後、ワイヤレス通信システム２００の通信チャネルにより、ビデオストリームのビデオフレームをビデオシンク通信装置２０６に伝送する。ビデオストリームは等時間間隔で生じるもの（isochronous）なので、一旦、ビデオソース通信装置２０４とビデオシンク通信装置２０６間のビデオフレーム伝送が開始されると、各ビデオフレームは、厳重な遅延制約に符合しなければならず、さもないと、ビデオフレームを遺失することを考慮する。
【００１５】
ビデオストリームのデータを伝送するチャネルのリソースを得るため、ビデオソース通信装置２０４は、まず、チャネルリソース要求を協調通信装置２０２に伝送する。しかし、この例中、協調通信装置２０２により決定される無線フレーム周期の長さが、ビデオストリームのビデオフレームの周期に適合せず、ビデオストリームの伝送を複雑にする。さらに、協調通信装置２０２により伝送されるビーコンの時間も、ビデオストリームのビデオフレームの開始時間と適合しない。ビデオストリームのビデオフレームの周期はビデオレンダリング装置のリフレッシュ速度により決定され、よって、この場合、ビデオソース通信装置２０４は、ビデオフレームの周期を変化させることができない。よって、ビデオソース通信装置２０４の設計と製造コストを簡潔にするため、以下の方法が提供されて、問題を解決する。ビデオソース通信装置２０４は、協調通信装置２０２に、ビデオストリームのビデオフレームの周期と開始時間に従って、無線フレームの周期と開始時間を変更するように要求する。
【００１６】
この場合、ビデオソース通信装置２０４は、まず、ビデオストリームのビデオフレームの周期と開始時間を検出する。一具体例としては、各ビデオフレームの開始境界は、特定のビットパターン（フレーム符号の開始）により表される。これにより、ビデオソース通信装置２０４はフレーム符号の開始を検出し、ビデオストリームのビデオフレームの開始時間を決定する。その後、ビデオソース通信装置２０４は、ビデオストリームのビデオフレームの周期と開始時間に関する情報を協調通信装置２０２に転送する。
【００１７】
協調通信装置２０２がビデオソース通信装置２０４からの情報を受信後、協調通信装置２０２は、ビデオフレームの周期と無線フレーム間の差異を比較、及び、計算する。無線フレームの周期がビデオフレームの周期に適合しない場合、協調通信装置２０２は無線フレームの周期長さを調整し、無線フレーム周期長さがビデオフレームの周期に適合するようにする。協調通信装置２０２は、ビデオソース通信装置２０４により受信された情報に基づく所定ルールに従って、無線フレームの周期長さと開始時間を獲得する。一具体例としては、協調通信装置２０２は、無線フレームの周期長さを、ビデオフレームの周期長さに等しくなるように決定する。別の具体例としては、協調通信装置２０２は、無線フレームの周期長さを、ビデオフレームの周期長さの倍数、又は、分数に等しくなるように決定する。さらに、協調通信装置２０２は、ビデオフレームの開始時間に従って、後続のビーコンを伝送するタイミングも変化させる。一具体例としては、協調通信装置２０２は、後続のビーコンを転送するタイミングを変化させて、無線フレームとビデオフレームの開始時間間の差異が、所定値よりも小さくなるようにする。よって、無線フレームの開始時間は、実質上、ビデオフレームの開始時間に合わせられる。
【００１８】
協調通信装置２０２は新しい周期長さをブロードキャストし、新しい後続のビーコンを伝送する。ビデオソース通信装置は、チャネル要求を協調通信装置２０２に伝送する。その後、協調通信装置２０２は、チャネル要求に従って、チャネルリソースを割り当て、要求されたアクセス時間周期で、ビデオソース通信装置２０４に、要求された無線チャネルにアクセスする優先権を付与する。ビデオソース通信装置２０４は、無線チャネルにより、ビデオストリーミングセッションを構築し、新しい後続のビーコンに対応する新しい周期長さと開始時間を有する無線フレームにより搭載されるビデオフレームの伝送を開始する。無線フレームの新しい周期長さはビデオフレームの周期に適合し、無線フレームの開始時間がビデオフレームの開始時間と合わせられているので、ビデオソース通信装置２０４は、円滑に、ビデオフレームと無線フレームをビデオシンク通信装置２０６に伝送する。上述のように、公知の方法と比較すると、ビデオソース通信装置２０４の回路設計は簡潔である。
【００１９】
注意すべきことは、ある具体例においては、協調通信装置２０２とビデオソース通信装置２０４は、同一の機械で実行される。ある具体例においては、協調通信装置２０２は、変化がいつ発生するかも決定する。例えば、協調通信装置２０２は、４個のビーコンの後、新しい周期長さと開始時間に変化することを通知する。
【００２０】
図３は、本発明の具体例によるビデオソース通信装置２０４により伝送される無線フレームとビデオフレームの具体例を示す図である。ビデオソース通信装置２０４とビデオシンク通信装置２０６間で構築されるビデオストリーミングセッションの各ビデオフレームは、周期ＴＶ  を有し、ビデオソース通信装置 ２０４により伝送される無線フレームも、ビデオフレームの周期 TV に等しい周期長さＴＲ’を有する。さらに、ビデオフレームＶ１  ，Ｖ２  ，Ｖ３  のフレーム開始符号Ｓ１  ，Ｓ２  ，Ｓ３  は、開始時間ｔＳ１，ｔＳ２、ｔＳ３ を有する。無線フレームＲ１’，Ｒ２’，Ｒ３’は開始時間ｔｂ１’,ｔｂ２’,ｔｂ３’ を有し、対応するビデオフレームＶ１  ，Ｖ２  ，Ｖ３  の開始時間ｔＳ１，ｔＳ２、ｔＳ３ と合わせられている。これにより、ビデオストリームのビデオフレームＶ１  ，Ｖ２  ，Ｖ３  は、無線フレームＲ１’，Ｒ２’，Ｒ３’により円滑に伝送され、無線フレームＲ１’，Ｒ２’，Ｒ３’は、ビデオソース通信装置２０４により提供される情報に従って決定される調整された周期長さと調整された開始時間を有する。言い換えると、ビデオソース通信装置４０４は、ストリーミングビデオセッションの各ビデオフレームと無線フレームの一つが同時に発生する形式で、ビデオフレームを転送し、ビデオフレームは、無線フレームの境界で転送される。
【００２１】
上述の具体例は、ビデオストリーミングを例として、本発明を説明しているが、しかし、本発明はビデオストリームのビデオフレームの転送に限定されない。本発明は、協調ベースのシステム上で実行されるあらゆるリアルタイムストリーミング転送に応用することができる。
【００２２】
図４に、本発明の具体例によるリアルタイムストリーミングを伝送する無線リソースの更なる有効利用方法４００のフローチャートを示す。ビデオアプリケーションは、今日、最も主流のリアルタイムストリーミングアプリケーションなので、この具体例中、ビデオストリーミングが更に例として用いられる。協調通信装置２０２は、まず、第一固定インターバルで、無線フレームの最初で、所定ビットシーケンス（ビーコン）を伝送する（ステップ４０２）。ビデオソース通信装置２０４は、ストリーミングビデオセッションのビデオフレームの周期と第一開始時間を検出する（ステップ４０４）。その後、ビデオソース通信装置２０４は、ストリーミングビデオセッションの一つ、又は、それ以上のビデオフレームの周期と第一開始時間に関する情報を協調通信装置２０２に転送する（ステップ４０６）。協調通信装置２０２は、ビデオソース通信装置２０４から受信される情報に基づく所定ルールに従って、無線フレームの最初で、所定ビットシーケンスを伝送する第二固定インターバルと第二開始時間の周期を決定する（ステップ４０８）。所定ルールも、フレーム周期と無線フレーム開始時間の変化を指定し、変化発生の方式と時間を指定する。協調通信装置２０２は、第二開始時間で、第二固定インターバルで、所定ビットシーケンスを伝送することにより、第二開始時間と第二固定インターバルをブロードキャストする（ステップ４１０）。ビデオソース通信装置２０４は、協調通信装置２０２により伝送される所定ビットシーケンスに従って、無線フレームにより搭載されるビデオフレームをビデオシンク通信装置２０４に転送する（ステップ４１２）。最後に、ビデオシンク通信装置２０６は、ストリーミングビデオセッションのビデオフレームを表示する（ステップ４１４）。
【００２３】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図１】
0005303768.tif 000002
【図２】
0005303768.tif 000003
【図３】
0005303768.tif 000004
【図４】
0005303768.tif 000005